(57)【要約】【課題】色空間が異なる画像データが混在していても、画像データの色空間を容易に認識できるようにする。【解決手段】画像データを表示する際に、画像データのタグ情報に含まれる色空間パラメータを参照し、その画像データの色空間を識別する。識別した色空間情報を画像データとともにサムネイル画像の一覧４１として表示する。色空間が不明である場合には色空間の入力を可能とし、入力された色空間名称を色空間情報として表示する。所望とする色空間のみを検索して表示するようにしてもよい。【選択図】          図７
2004364010.tif 000002
【特許請求の範囲】
【請求項１】
画像を含む各種表示を行う表示手段と、
前記画像の色空間を識別する識別手段と、
該識別された色空間を表す識別情報を前記画像と対応づけて前記表示手段に表示する表示制御手段とを備えたことを特徴とする画像表示装置。
【請求項２】
前記識別手段は、前記画像に付与された色空間を表す情報に基づいて前記画像の色空間を識別する手段であることを特徴とする請求項１記載の画像表示装置。
【請求項３】
色空間名称を含む各種入力を受け付ける入力手段と、
前記画像の色空間が識別不可能であるか否かを判定する判定手段と、
前記画像の色空間が識別不可能である場合に、前記入力手段による前記色空間名称の入力を可能とする入力許可手段とをさらに備え、
前記表示制御手段は、前記画像の色空間が識別不可能であると判定され、前記入力許可手段により前記色空間名称の入力が許可された場合に、前記入力手段から入力された色空間名称を前記画像と対応づけて前記表示手段に表示する手段であることを特徴とする請求項２記載の画像表示装置。
【請求項４】
前記入力手段から入力された色空間名称を前記画像に付与する付与手段をさらに備えたことを特徴とする請求項３記載の画像表示装置。
【請求項５】
前記画像に前記色空間名称を含む色空間パラメータが付与されてなる場合において、
各種色空間と該各種色空間の色空間パラメータとを対応づけた色空間テーブルを記憶するテーブル記憶手段と、
前記画像の色空間が識別不可能であるか否かを判定し、該画像の色空間が識別不可能である場合に、該画像に付与された色空間パラメータが前記色空間テーブルに含まれているか否かを判定する判定手段と、
色空間名称の入力を含む各種入力を受け付ける入力手段とをさらに備え、
前記表示制御手段は、前記判定手段による判定が肯定されると、前記色空間テーブルを参照して、前記画像に付与された前記色空間パラメータに対応する色空間名称を前記画像と対応づけて前記表示手段に表示し、前記判定が否定されると、前記入力手段による前記色空間名称の入力を可能とし、該入力手段から入力された色空間名称を前記画像と対応づけて前記表示手段に表示する手段であることを特徴とする請求項２記載の画像表示装置。
【請求項６】
前記判定手段による判定が肯定された場合に、前記画像に付与された前記色空間パラメータに対応する色空間名称を前記画像に付与し、前記判定が否定された場合に、前記入力された色空間名称を前記画像に付与する付与手段をさらに備えたことを特徴とする請求項５記載の画像表示装置。
【請求項７】
複数の画像を保管する画像保管手段と、
所望とする色空間を表す色空間名称の入力を受け付ける色空間名称入力手段と、
前記複数の画像から前記入力された色空間名称により表される色空間の画像を検索する検索手段とをさらに備え、
前記表示制御手段は、該検索された画像を前記表示手段に表示する手段であることを特徴とする請求項１から６のいずれか１項記載の画像表示装置。
【請求項８】
画像を含む各種表示を行う表示手段と、
複数の画像を保管する画像保管手段と、
所望とする色空間を表す色空間名称の入力を受け付ける色空間入力手段と、
前記複数の画像から前記入力された色空間名称により表される色空間の画像を検索する検索手段と、
該検索された画像を前記表示手段に表示する表示制御手段とを備えたことを特徴とする画像表示装置。
【請求項９】
画像の色空間を識別し、
該識別された色空間を表す識別情報を前記画像と対応づけて表示することを特徴とする画像表示方法。
【請求項１０】
所望とする色空間を表す色空間名称の入力を受け付け、
複数の画像を保管する画像保管手段に保管された該複数の画像から、前記入力された色空間名称により表される色空間の画像を検索し、
該検索された画像を表示することを特徴とする画像表示方法。
【請求項１１】
画像の色空間を識別する手順と、
該識別された色空間を表す識別情報を前記画像と対応づけて表示する手順とを有することを特徴とする画像表示方法をコンピュータに実行させるためのプログラム。
【請求項１２】
所望とする色空間を表す色空間名称の入力を受け付ける手順と、
複数の画像を保管する画像保管手段に保管された該複数の画像から、前記入力された色空間名称により表される色空間の画像を検索する手順と、
該検索された画像を表示する手順とを有することを特徴とする画像表示方法をコンピュータに実行させるためのプログラム。
【発明の詳細な説明】
【０００１】
【発明の属する技術分野】
本発明は、デジタルカメラ等により取得された画像をパソコン等のモニタに表示するための画像表示装置および方法並びに画像表示方法をコンピュータに実行させるためのプログラムに関するものである。
【０００２】
【従来の技術】
フイルムや写真等のプリンタデバイスにより再現された画像をスキャナ等により読み取ってデジタルの画像データとしてユーザに提供したり、あるいはユーザがデジタルカメラ等により取得したデジタルの画像データをプリント出力してユーザに提供することが行われている。このような画像データはユーザがパソコン等のモニタに表示して観察することができる。このため、画像データの色空間は、モニタに表示した際に最も見栄えがよくなるようにｓＲＧＢ色空間とされている。なお、デジタルカメラの規格であるＥｘｉｆ規格は、画像データの色空間をｓＲＧＢに限ったものとしている。
【０００３】
ところで、デジタルカメラの機種によっては、ｓＲＧＢよりも色再現域が広いＡｄｏｂｅ（登録商標）ＲＧＢ色空間により画像データを記録することが可能なものも提供されている。このようにＡｄｏｂｅＲＧＢ色空間を採用することにより、印刷等広い色再現域が要求される用途にも対応することができる。
【０００４】
また、画像の色空間を他の色空間に変換する画像処理方法が提案されている（特許文献１参照）。特許文献１の方法によれば、例えばｓＲＧＢ色空間の画像をＡｄｏｂｅＲＧＢ専用のモニタに表示する場合に、画像の色空間をｓＲＧＢからＡｄｏｂｅＲＧＢに変換することにより、再生された画像の色再現性を適切なものとすることができる。
【０００５】
【特許文献１】
特開２００３−３７８５０号公報
【０００６】
【発明が解決しようとする課題】
ところで、上述したｓＲＧＢやＡｄｏｂｅＲＧＢ等、画像データの色空間が多岐にわたるものとなると、パソコン等に色空間が異なる画像データが混在して保存される状況が生じる。このように色空間が異なる画像データが混在すると、例えば、ＡｄｏｂｅＲＧＢ色空間の画像データをｓＲＧＢ色空間の画像データの表示に適したモニタに表示してしまったり、ｓＲＧＢ色空間に適した色処理を行うプリンタにおいてプリント出力してしまった場合に、再生された画像の色再現が悪くなるという問題がある。
【０００７】
とくに、今後モニタの表示色空間が広がれば、デジタルカメラにより取得される画像データの色空間も広がる可能性があるため、さらに色空間が異なる画像データが混在する状況が増加し、色空間を誤ることによる色再現域の悪化がさらに問題となるおそれがある。
【０００８】
この場合、上記特許文献１の方法を用いれば、画像の色空間を変換して色再現域の適切な画像を再生することができる。しかしながら、変換を行う画像がどの色空間に属するかについては容易に認識できるものではないため、画像を実際にモニタに表示したりプリント出力したりして色再現性の良否を確認しているのが現状である。
【０００９】
本発明は上記事情に鑑みなされたものであり、色空間が異なる画像データが混在していても、画像データの色空間を容易に認識できるようにすることを目的とする。
【００１０】
【課題を解決するための手段】
本発明による第１の画像表示装置は、画像を含む各種表示を行う表示手段と、
前記画像の色空間を識別する識別手段と、
該識別された色空間を表す識別情報を前記画像と対応づけて前記表示手段に表示する表示制御手段とを備えたことを特徴とするものである。
【００１１】
「識別情報」としては、それが表示されることにより画像の色空間を視認可能な情報であり、具体的には、色空間の名称や色空間を表すアイコン等を用いることができる。
【００１２】
なお、本発明による第１の画像表示装置においては、前記識別手段は、前記画像に付与された色空間を表す情報に基づいて前記画像の色空間を識別する手段であってもよい。
【００１３】
また、本発明による第１の画像表示装置においては、色空間名称を含む各種入力を受け付ける入力手段と、
前記画像の色空間が識別不可能であるか否かを判定する判定手段と、
前記画像の色空間が識別不可能である場合に、前記入力手段による前記色空間名称の入力を可能とする入力許可手段とをさらに備えるものとし、
前記表示制御手段は、前記画像の色空間が識別不可能であると判定され、前記入力許可手段により前記色空間名称の入力が許可された場合に、前記入力手段から入力された色空間名称を前記画像と対応づけて前記表示手段に表示する手段であってもよい。
【００１４】
この場合、前記入力手段から入力された色空間名称を前記画像に付与する付与手段をさらに備えるようにしてもよい。
【００１５】
また、本発明による第１の画像表示装置においては、前記画像に前記色空間名称を含む色空間パラメータが付与されてなる場合において、
各種色空間と該各種色空間の色空間パラメータとを対応づけた色空間テーブルを記憶するテーブル記憶手段と、
前記画像の色空間が識別不可能であるか否かを判定し、該画像の色空間が識別不可能である場合に、該画像に付与された色空間パラメータが前記色空間テーブルに含まれているか否かを判定する判定手段と、
色空間名称の入力を含む各種入力を受け付ける入力手段とをさらに備えるものとし、
前記表示制御手段は、前記判定手段による判定が肯定されると、前記色空間テーブルを参照して、前記画像に付与された前記色空間パラメータに対応する色空間名称を前記画像と対応づけて前記表示手段に表示し、前記判定が否定されると、前記入力手段による前記色空間名称の入力を可能とし、該入力手段から入力された色空間名称を前記画像と対応づけて前記表示手段に表示する手段としてもよい。
【００１６】
この場合において、前記判定手段による判定が肯定された場合に、前記画像に付与された前記色空間パラメータに対応する色空間名称を前記画像に付与し、前記判定が否定された場合に、前記入力された色空間名称を前記画像に付与する付与手段をさらに備えるようにしてもよい。
【００１７】
また、本発明による第１の画像表示装置においては、複数の画像を保管する画像保管手段と、
所望とする色空間を表す色空間名称の入力を受け付ける色空間名称入力手段と、
前記複数の画像から前記入力された色空間名称により表される色空間の画像を検索する検索手段とをさらに備えるものとし、
前記表示制御手段は、該検索された画像を前記表示手段に表示する手段であってもよい。
【００１８】
本発明による第２の画像表示装置は、画像を含む各種表示を行う表示手段と、
複数の画像を保管する画像保管手段と、
所望とする色空間を表す色空間名称の入力を受け付ける色空間入力手段と、
前記複数の画像から前記入力された色空間名称により表される色空間の画像を検索する検索手段と、
該検索された画像を前記表示手段に表示する表示制御手段とを備えたことを特徴とするものである。
【００１９】
本発明による第１の画像表示方法は、画像の色空間を識別し、
該識別された色空間を表す識別情報を前記画像と対応づけて表示することを特徴とするものである。
【００２０】
本発明による第２の画像表示方法は、所望とする色空間を表す色空間名称の入力を受け付け、
複数の画像を保管する画像保管手段に保管された該複数の画像から、前記入力された色空間名称により表される色空間の画像を検索し、
該検索された画像を表示することを特徴とするものである。
【００２１】
なお、本発明による第１および第２の画像表示方法をコンピュータに実行させるためのプログラムとして提供してもよい。
【００２２】
【発明の効果】
本発明の第１の画像表示装置および方法によれば、画像の色空間が識別され、識別された色空間を表す識別情報と画像とが対応づけられて表示手段に表示される。このため、表示された画像を見れば、識別情報を同時に見ることができるため、その画像の色空間を容易に認識することができる。したがって、その画像の色空間に適した処理を行うことが容易となり、これにより、色空間が異なる画像が混在していても、色空間を誤ることによる画像再生時における色再現域の悪化を容易に防止することができる。
【００２３】
また、画像に付与された色空間を表す情報に基づいて画像の色空間を識別することにより、容易に色空間を識別して画像と対応づけて表示することができる。
【００２４】
また、画像の色空間が識別不可能である場合に、色空間名称の入力を受け付け、入力された色空間名称を画像と対応づけて表示することにより、色空間が不明な画像が混在していても、その色空間を認識可能とすることができる。
【００２５】
この場合、入力された色空間名称を画像に付与すれば、後でその画像を参照する際にその画像の色空間を容易に識別することができる。
【００２６】
また、画像に色空間名称を含む色空間パラメータが付与されてなる場合において、画像の色空間が識別不可能である場合に、画像に付与された色空間パラメータが各種色空間と各種色空間の色空間パラメータとを対応づけた色空間テーブルに含まれているか否かを判定し、この判定が肯定された場合に画像に付与された色空間パラメータに対応する色空間名称を画像と対応づけて表示し、この判定が否定された場合に、色空間名称の入力を受け付け、入力された色空間名称を画像と対応づけて表示することにより、色空間が不明な画像が混在していても、その色空間を認識可能とすることができる。
【００２７】
この場合において、上記判定が肯定された場合には画像に付与された色空間パラメータに対応する色空間名称を画像に付与し、上記判定が否定された場合には入力された色空間名称を画像に付与すれば、後でその画像を参照する際にその画像の色空間を容易に識別することができる。
【００２８】
また、所望とする色空間を表す色空間名称の入力を受け付け、複数の画像から入力された色空間名称により表される色空間の画像を検索し、検索された画像を表示手段に表示することにより、所望とする色空間を有する画像のみを表示手段に表示でき、これにより、表示された複数の画像に対して同一の処理を効率よく行うことができる。
【００２９】
本発明の第２の画像表示装置および方法によれば、所望とする色空間を表す色空間名称の入力が受け付けられ、複数の画像から入力された色空間名称により表される色空間の画像が検索され、検索された画像が表示手段に表示される。このため、所望とする色空間を有する画像のみを表示手段に表示でき、これにより、表示された複数の画像に対して同一の処理を効率よく行うことができる。したがって、色空間が異なる画像が混在していても、色空間を誤ることによる再生時における色再現域の悪化を防止することができる。
【００３０】
【発明の実施の形態】
以下図面を参照して本発明の実施形態について説明する。図１は本発明の実施形態による画像表示装置を適用したコンピュータの構成を示す概略ブロック図である。図１に示すように、コンピュータ１は、複数の画像データを保管する保管手段１１と、コンピュータ１を本実施形態による画像処理装置として機能させるための各種処理を行うＣＰＵ１２と、画像ビューア等、コンピュータ１を本実施形態による画像処理装置として機能させるためのプログラムを記憶したＲＯＭ１３と、作業領域となるＲＡＭ１４と、各種表示を行うＣＲＴ等のモニタ１５と、各種入力を行うためのキーボードやマウス等からなる入力手段１６と、コンピュータ１に画像データを取り込むためのＵＳＢやＩＥＥＥ１３９４等のインターフェース１７とがバス１８により接続されてなる。
【００３１】
保管手段１１は、半導体、磁気記録および光記録に代表される記録媒体であり、例えばハードディスクを用いることができる。なお、保管手段１１には、インターフェース１７から入力された、デジタルカメラにより所得された画像データが複数保管される。
【００３２】
図２は、保管手段１１におけるフォルダ構造を示す図である。図２に示すように、保管手段１１には、ルートフォルダの下層にＤＣＩＭフォルダが作成され、その下層に００１フォルダが作成されている。そして、００１フォルダに、ファイル名がそれぞれＤＳＣＦ０００１．ＪＰＧ，ＤＳＣＦ０００２．ＪＰＧ，ＤＳＣＦ０００３．ＪＰＧ等の複数の画像データが保存される。
【００３３】
図３は、画像データのファイル構造を示す図である。図３に示すように、画像データは、タグ情報２１と、１６００×１２００画素のサイズの主画像２２と、主画像２２の見出し等に利用される１６０×１２０画素サイズのサムネイル画像２３とが含まれる。
【００３４】
タグ情報２１には、撮影年月日３１、画素数３２、ファイル名３３および色空間パラメータ３４等が含まれる。色空間パラメータ３４は、画像データが属する色空間を表し、例えばモニタ表示に適した色空間であるｓＲＧＢ、ｓＲＧＢよりも広い色空間であるＡｄｏｂｅＲＧＢ、デジタルカメラのユーザが定義した色空間等の色空間名称、白色点、原色色度座標、ＹＣＣからＲＧＢへの変換係数（図中はＹＣＣ→ＲＧＢ変換係数と示す）および再生ガンマが色空間パラメータ３４として含められる。
【００３５】
図４は色空間パラメータの例を示す図である。なお、図４においては、ｓＲＧＢ、ＡｄｏｂｅＲＧＢおよびユーザが定義したＵｓｅｒ１という色空間のメタデータをパラメータとして示す。図４に示すように各色空間の色空間パラメータには、色空間名称、白色点、原色色度座標、ＹＣＣからＲＧＢへの変換係数および再生ガンマが含まれ、各パラメータがタグ情報２１の色空間パラメータ３４に記述される。なお、図３に示すファイル構造においては、ｓＲＧＢ色空間のパラメータが色空間パラメータ３４に含められている。
【００３６】
一方、保管手段１１には、複数の色空間を登録した色空間テーブルが保管されている。図５は色空間テーブルを示す図である。図５に示すように色空間テーブルＴ１には、現在登録されているｎ個の色空間を表す色空間識別名および各色空間の色空間パラメータ（すなわち白色点、原色色度座標、ＹＣＣからＲＧＢへの変換係数および再生ガンマ）が含まれる。なお、色空間識別名が後述するように画像を表示する際に画像とともに表示される。
【００３７】
ＣＰＵ１２はＲＯＭ１３に記録された画像ビューアのプログラムを実行することにより、コンピュータ１を本実施形態による画像表示装置として機能させる。すなわち、画像ビューアの起動指示が入力手段１６からなされると、保管手段１１に保管されている画像データのサムネイル画像の一覧をモニタ１５に表示する。この際、画像データのタグ情報２１の色空間パラメータ３４を参照して、サムネイル画像にその画像の色空間識別名を付与する。なお、色空間が不明である場合には、色空間識別名として「不明」を表示し、さらにその不明の色空間についての色空間名称の入力手段１６からの入力を受け付け、入力された色空間名称を新たな色空間パラメータとしてその画像データのタグ情報２１に記述する。
【００３８】
次いで、本実施形態において行われる処理について説明する。図６は本実施形態において行われる処理を示すフローチャートである。ユーザにより画像ビューアの起動の指示がなされるとＣＰＵ１２がＲＯＭ１３に記録されたプログラムを実行することにより処理が開始される。まずＣＰＵ１２が初期値としてｍ＝１を設定し（ステップＳ１）、保管手段１１の００１フォルダから画像データを順次読み出す（ステップＳ２）。
【００３９】
そして、読み出した画像データのタグ情報２１の色空間パラメータ３４を参照し、色空間パラメータ３４に含まれる色空間名称が、保管手段１１に保管された色空間テーブルＴ１に含まれるか否かを判定する（ステップＳ３）。ステップＳ３が肯定されると、その色空間名称に対応する色空間識別名をその画像データのサムネイル画像とともにモニタ１５に表示する（ステップＳ４）。
【００４０】
ステップＳ３が否定されると、色空間パラメータ３４に記述された色空間名称について、色空間名称が付与されていない等により色空間名称が不明であるか否かを判定する（ステップＳ５）。ステップＳ５が肯定されると、色空間識別名として「不明」をその画像データのサムネイル画像とともにモニタ１５に表示する（ステップＳ６）。
【００４１】
また、ステップＳ５が否定されると、その画像データの色空間パラメータ３４の白色点、原色色度座標、ＹＣＣからＲＧＢへの変換係数および再生ガンマについて、色空間テーブルＴ１に一致するものがあるか否かを判断する（ステップＳ７）。ステップＳ７が肯定されると、ＣＰＵ１２は、色空間テーブルＴ１を参照して、その画像データの色空間パラメータ３４の色空間名称を、一致した白色点、原色色度座標、ＹＣＣからＲＧＢへの変換係数および再生ガンマについての色空間名称に書き換え（ステップＳ８）、書き換えた色空間名称に対応する色空間識別名をその画像データのサムネイル画像とともにモニタ１５に表示する（ステップＳ９）。
【００４２】
ステップＳ７が否定されると、その画像データの色空間パラメータ３４を色空間テーブルＴ１に登録し（ステップＳ１０）、さらにその画像データの色空間パラメータ３４に含まれる色空間名称を色空間識別名としてサムネイル画像とともにモニタ１５に表示する（ステップＳ１１）。
【００４３】
続いて、ＣＰＵ１２は、保管手段１１の００１フォルダに保存されている全ての画像データのサムネイル画像の表示が終了したか否かを判定し（ステップＳ１２）、ステップＳ１２が肯定されると処理を終了する。ステップＳ１２が否定されると、次の画像データを表示すべくｍ＝ｍ＋１とし（ステップＳ１３）、ステップＳ２に戻り、ステップＳ１２が肯定されるまでステップＳ２以降の処理を繰り返す。
【００４４】
図７はモニタ１５に表示されたサムネイル画像の一覧を示す図である。図７に示すように、モニタ１５にはサムネイル画像の一覧４１、表示する色空間を選択するためのプルダウンメニュー４２およびスクロールバー４３が表示される。サムネイル画像一覧４１に含まれる各サムネイル画像には、右上隅にｓＲＧＢ、Ａｄｏｂｅ等の色空間識別名が、下方にファイル名が表示されている。なお、色空間名称が不明であり、かつ色空間パラメータが色空間テーブルＴ１にない画像データのサムネイル画像には、色空間識別名として「不明」の表示がなされる。また、スクロールバー４３によりサムネイル画像の一覧４１をスクロールすることが可能である。
【００４５】
ここで、「不明」の表示部分を例えばダブルクリックすることにより、色空間名称を入力することが可能である。図８は色空間名称を入力する際の処理を示すフローチャートである。「不明」の表示をダブルクリックすることによりＣＰＵ１２が処理を開始し、色空間名称が入力されたか否かを判定する（ステップＳ２１）。ステップＳ２１が肯定されると、入力された色空間名称を表示し（ステップＳ２２）、さらに保管手段１１に保存されている画像データのタグ情報２１の色空間パラメータ３４の色空間名称に、入力された色空間名称を記述する（ステップＳ２３）。さらに、その画像データに付与されている色空間パラメータを入力した色空間名称とともに色空間テーブルＴ１に登録し（ステップＳ２４）、処理を終了する。
【００４６】
これにより、図７に示すサムネイル画像の一覧において「不明」の表示がなされているファイル名がＤＳＣＦ０００４．ＪＰＧのサムネイル画像には、図９に示すように、入力された色空間名称（例えばユーザが定義したＵｓｅｒ１）が色空間識別名として表示される。
【００４７】
なお、サムネイル画像の一覧とともにその一覧において選択した画像を拡大してモニタ１５に表示することも可能である。図１０は、モニタ１５にサムネイル画像とともに拡大画像が表示された状態を示す図である。図１０に示すように、モニタ１５には画面の下方にサムネイル画像が横一列に並べられた一覧４４と、拡大画像表示フィールド４５と、スクロールバー４６とが表示される。ここで、スクロールバー４６によりサムネイル画像の一覧４４をスクロールすることが可能である。そして、サムネイル画像の一覧４４において選択されたサムネイル画像の拡大画像が拡大画像表示フィールド４５に表示される。なお、図１０においてはファイル名がＤＳＣＦ０００１．ＪＰＧの画像データの拡大画像が表示された状態を示す。拡大画像が表示されているサムネイル画像は図１０に示すように枠４７が付与され、現在拡大画像を表示中であることが容易に分かるようになっている。
【００４８】
このように、本実施形態においては、画像データの色空間を識別し、識別された色空間の色空間識別名をサムネイル画像や拡大画像とともにモニタ１５に表示するようにしたため、モニタ１５に表示された画像を見れば、その画像の色空間を容易に認識することができる。したがって、画像処理等を行う場合に、その画像の色空間に適した処理を容易に行うことができ、これにより、色空間が異なる画像が混在していても、色空間を誤ることによる画像再生時における色再現域の悪化を容易に防止することができる。
【００４９】
また、画像データのタグ情報２１に含まれる色空間パラメータ３４に基づいて色空間を識別しているため、容易に色空間を識別して色空間識別名を画像と対応づけて表示することができる。
【００５０】
また、画像の色空間が不明であることにより識別不可能である場合に、色空間名称の入力を受け付け、入力された色空間名称を画像と対応づけて表示することにより、色空間が不明な画像が混在していても、その色空間を識別可能とすることができる。
【００５１】
この場合、入力された色空間名称を画像データのタグ情報２１の色空間パラメータ３４に記述すれば、後でその画像を参照する際にその画像の色空間を容易に識別することができる。
【００５２】
また、画像データに色空間名称を含む色空間パラメータ３４が付与されてなる場合において、画像の色空間が不明であることにより識別不可能である場合に、画像データに付与された色空間パラメータ３４が色空間テーブルＴ１に含まれているか否かを判定し、この判定が肯定された場合に画像データに付与された色空間パラメータに対応する色空間名称を色空間識別名として表示し、この判定が否定された場合に、色空間名称の入力を受け付け、入力された色空間名称を画像と対応づけて表示しているため、色空間が不明な画像が混在していても、その色空間を認識可能とすることができる。
【００５３】
この場合において、上記判定が肯定された場合には画像データに付与された色空間パラメータに対応する色空間名称を画像データに付与し、上記判定が否定された場合には入力された色空間名称を色空間識別名として画像データに付与しているため、後でその画像データを参照する際にその画像の色空間名を容易に識別することができる。
【００５４】
なお、上記実施形態においては、画像データの色空間の色空間識別名をサムネイル画像や拡大画像とともに表示しているが、例えば色空間を表すアイコンを色空間識別名に代えてサムネイル画像や拡大画像とともに表示してもよい。なお、アイコンとしては、色空間識別名が画像として含まれたものや、色空間に応じた色を有するもの等を用いることができる。
【００５５】
また、上記実施形態においては、サムネイル画像や拡大画像の右上隅に色空間識別名を表示しているが、画像中に含めたり、ファイル名の上または下等、画像と対応づけられていれば任意の場所に表示してもよい。また、色空間に応じた色により画像を囲むことにより、色空間を認識可能としてもよい。
【００５６】
また、上記実施形態においては、全ての色空間のサムネイル画像や拡大画像をモニタ１５に表示しているが、特定の色空間の画像のみを表示することも可能である。以下、特定の色空間の画像のみを表示する場合の処理について説明する。
【００５７】
図１１は、特定の色空間の画像のみを表示する際の処理を示すフローチャート、図１２はプルダウンメニュー４２の例を示す図である。図１２に示すように、プルダウンメニュー４２には、表示する色空間（ここでは、全て表示、ｓＲＧＢのみ表示、Ａｄｏｂｅのみ表示）が選択可能とされている。そして、入力手段１６を用いてプルダウンメニュー４２から表示を所望する色空間が選択されるとＣＰＵ１２が処理を開始し、保管手段１１に保存された全ての画像データのタグ情報２１の色空間パラメータ３４を参照し（ステップＳ３１）、選択された色空間が色空間パラメータ３４に含まれる画像データを検索する（ステップＳ３２）。そして検索された画像データのサムネイル画像の一覧をモニタ１５に表示し（ステップＳ３３）、処理を終了する。
【００５８】
図１３は表示する色空間としてｓＲＧＢが選択された場合において、モニタ１５に表示されたサムネイル画像の一覧を示す図である。図１３に示すように、モニタ１５には、ｓＲＧＢ色空間の画像データについてのサムネイル画像の一覧５１、表示する色空間を選択するためのプルダウンメニュー４２およびスクロールバー５３が表示される。サムネイル画像一覧５１に含まれる各サムネイル画像には、下方にファイル名が表示されている。なお、プルダウンメニュー４２には「ｓＲＧＢのみ表示」と表示されている。また、スクロールバー５３によりサムネイル画像の一覧５１をスクロールすることが可能である。また、図１３においては、表示している画像がｓＲＧＢの色空間のみであるため、各サムネイル画像には色空間情報を表示していないが、図１４に示すように、各サムネイル画像の右上隅に色空間情報を表示してもよい。また、上記図１０と同様に、拡大画像とともに表示してもよい。
【００５９】
このように、選択した色空間を有する画像のみをモニタ１５に表示することにより、表示された画像に対して同一の処理を効率よく行うことができる。例えば、表示された画像の全てをプリント出力するに際して画像処理を施す場合、モニタ１５に表示された全ての画像は同一の色空間であることから、全ての画像に対して同一の画像処理を施せばよいこととなる。したがって、画像処理を効率よく行いつつ、色空間が異なる画像が混在していても、色空間を誤ることによる再生時における色再現域の悪化を防止することができる。また、同一色空間の画像をまとめてプリント注文のためにメモリカード等のメディアにコピーする処理も容易となる。
【００６０】
なお、上記実施形態においては、画像ビューアを起動してサムネイル画像の一覧を表示する場合の処理について説明しているが、ファイル名を指定して画像データを表示する際にも、その画像データの色空間を表示された画像とともにモニタ１５に表示してもよい。
【図面の簡単な説明】
【図１】本発明の実施形態による画像表示装置を適用したコンピュータの構成を示す概略ブロック図
【図２】保管手段におけるフォルダ構造を示す図
【図３】画像データのファイル構造を示す図
【図４】色空間パラメータの例を示す図
【図５】色空間テーブルを示す図
【図６】本実施形態において行われる処理を示すフローチャート
【図７】モニタに表示されたサムネイル画像の一覧を示す図（その１）
【図８】色空間名称を入力する際の処理を示すフローチャート
【図９】モニタに表示されたサムネイル画像の一覧を示す図（その２）
【図１０】モニタにサムネイル画像とともに拡大画像が表示された状態を示す図
【図１１】特定の色空間の画像のみを表示する際の処理を示すフローチャート
【図１２】プルダウンメニューの例を示す図
【図１３】モニタに表示されたサムネイル画像の一覧を示す図（その３）
【図１４】モニタに表示されたサムネイル画像の一覧を示す図（その４）
【符号の説明】
１    コンピュータ
１１  保管手段
１２    ＣＰＵ
１３    ＲＯＭ
１４    ＲＡＭ
１５    モニタ
１６    入力手段
１７    インターフェース
２１    タグ情報
２２    主画像
２３    サムネイル画像
３１    撮影年月日
３２    画素数
３４    色空間パラメータ
４１，４４，５１  サムネイル画像一覧
４２  プルダウンメニュー
４５  拡大画像
【図１】
2004364010.tif 000003
【図２】
2004364010.tif 000004
【図３】
2004364010.tif 000005
【図４】
2004364010.tif 000006
【図５】
2004364010.tif 000007
【図６】
2004364010.tif 000008
【図７】
2004364010.tif 000009
【図８】
2004364010.tif 000010
【図９】
2004364010.tif 000011
【図１０】
2004364010.tif 000012
【図１１】
2004364010.tif 000013
【図１２】
2004364010.tif 000014
【図１３】
2004364010.tif 000015
【図１４】
2004364010.tif 000016